(57)【特許請求の範囲】
【請求項１】
ホース（１０）が巻回されるホースリール（５）と、
このホース（１０）をホースリール（５）の外方に取り出すためのホース取り出しヘッド（６）と、
常時はホースリール（５）の回転を制止し、鉛直方向下向きの力がホース取り出しヘッド（６）に負荷されるとホースリール（５）の回転制止を解除するホースリール回転制止装置（７）とを備えてなるホース巻取装置において、
ホース取り出しヘッド（６）と所定距離を隔てた位置に配され、ホース取り出しヘッド（６）から引き出されたホース（１０）を外周部において案内支持する案内ローラ（８２）と、
一端がホース取り出しヘッド（６）に取り付けられ、他端が案内ローラ（８２）を回動自在に支持する接続部材（８１）とを備え、
ホース取り出しヘッド（６）及び案内ローラ（８２）を結ぶ直線が、ホース取り出しヘッド（６）を支点として、少なくとも所望のホース（１０）の引き出し角度より大きい傾斜角に角度調整可能とされることを特徴とするホース巻取装置。
【請求項２】
ホース取り出しヘッド（６）及び案内ローラ（８２）を結ぶ直線の角度調節は、ホース取り出しヘッド（６）側に設けられ、所定角度毎に角度調節が可能なラチェット機構（９）によりなされることを特徴とする請求項１に記載のホース巻取装置。
【請求項３】
案内ローラ（８２）の外周部にはホース（１０）を係合可能な溝が形成されていることを特徴とする請求項１又は２記載のホース巻取装置。
【請求項４】
ホース取り出しヘッド（６）及び案内ローラ（８２）の間においてホース取り出しヘッド（６）より引き出されたホースの上方に位置してホース（１０）のはみ出しを阻止する中間部材（８３）を備えることを特徴とする請求項１〜３の何れかに記載のホース巻取装置。
【請求項５】
接続部材（８１）は、湾曲した一対の湾曲した長棒からなり、中間部材（８３）は、湾曲した長棒（８１）の中間部に掛け渡されることを特徴とする請求項４記載のホース巻取り装置。
【請求項６】
ホース（１０）が巻回されるホースリール（５）と、
このホース（１０）を外方に取り出すためのホース取り出しヘッド（６）と、
常時はホースリール（５）の回転を制止し、ホース（１０）の引出し時に鉛直方向下向きの力がホース取り出しヘッド（６）に負荷されるとホースリール（５）の回転制止が解除されてホース（１０）の引出しが可能となるホースリール回転制止装置（７）とを備えてなるホース巻取装置において、
ホース取り出しヘッド（６）に取り付けられて、ホース取り出しヘッド（６）から引き出されたホース（１０）を内部に挿通させて案内する案内筒（８５）を備え、
案内筒（８５）の傾斜角が、ホース取り出しヘッド（６）を支点として、少なくとも所望のホース（１０）の引き出し角度より大きい傾斜角に角度調整可能とされることを特徴とするホース巻取装置。
【請求項７】
案内筒（８５）の傾斜角の角度調節は、ホース取り出しヘッド（６）側に設けられ、所定角度毎に角度調節が可能なラチェット機構（９）によりなされることを特徴とする請求項６に記載のホース巻取装置。
【請求項８】
動力噴霧機に搭載されることを特徴とする請求項１〜７の何れかに記載のホース巻取装置。
【発明の詳細な説明】
【０００１】
【発明の属する技術分野】
本発明は、果樹等の植物に薬剤等の散布を行うホースのホース巻取装置に係り、特に傾斜地等の上方からのホースの引き出しを可能としたホース巻取装置に関する。
【０００２】
【従来の技術】
近年、自動的にホースを巻き取るホース巻取装置が広く普及している。ホース巻取装置では、ホースをホースリールから勢い良く引き出した場合に、慣性力のためにホースの引き出し終了後も、なおしばらくホースリールの回転が停止せずに回転してしまうため、ホースが弛み、その結果、弛んだホースが操作部に接触したり、また、ホースがホースリールにおいて片寄ったりする。このため、特に自動ホース整列装置を有するホース巻取装置では引き出し作業を中断してホースの弛みを調整する必要がある。このため、ホースリールの回転を制止するホースリール回転制止装置を設けたものが提案されている（例えば、実公平２−８９３８号公報、実開平５−２２４５８号公報等）。
【０００３】
ホースリール回転制止装置としては、例えば、図１２，１３に示すように、リンク機構を利用して、ホースリール５の外周面を内側に押圧する方向に付勢された摩擦部７５によりホースリール５の回転を停止するものがある。
【０００４】
リンク機構は、図１２に示すように、所定位置に設けられた固定回動軸８０により回動自在に取り付けられるホース取り出しヘッド６と、ホース取り出しヘッド６に枢着され、ホースをホースリール５の外方に案内するためのガイドローラ６１と、ホース取り出しヘッド６の下端に取り付けられ、下方に突出した押圧ピン８３とを備える。更に、周囲にフランジを有し、押圧ピン８３の押圧により鉛直下方に押し下げられるつば部８４と、つば部８４の図中左下方側に、軸長手方向全体が当接し、つば部８４が押し下げられると共に下方に押し下げられるように配設された軸７４と、軸７４に一端が軸着され、その長手方向の中央に配された固定回動軸７９により回動可能なリンク７１と、リンク７１の他端７３に、一端を軸着されたリンク７２と、リンク７２の他端７７に一端を軸着され、その他端に設けられた固定回動軸７８により回動可能な連結板７６と、連結板７６に取り付けられ、ホースリール５の外周面に接離自在なドラムブレーキとなる摩擦部７５とを備える。
【０００５】
なお、連結板７６には、図示していないバネにより、固定回動軸７８に対して、反時計回りの力が付勢されているため、ホース１０を引き出していない静止時には、図１２に示すように、摩擦部７５がホースリール５の外周面を内側に押圧する方向に付勢され、ホース取り出しヘッド６は右肩上がりの状態となっている。
【０００６】
図１３に示すように、ホース１０をＣ方向に引き出すと、固定回動軸８０を中心にホース取り出しヘッド６が時計回りに回動し、ホース取り出しヘッド６の取り付けられた押圧ピン８３が下方に移動し、押圧ピン８３によりつば部８４が押下され、軸７４に鉛直方向下向きの力Ｄが作用し、リンク７１が固定回動軸７９を中心に反時計回りに回動する。これにより、リンク７１の他端７３に軸着されたリンク７２が上方に引き上げられるので、リンク７２に一端が軸着された連結板７６が、固定回動軸７８を中心に時計回りに回転し、摩擦部７５にはＥ方向の力が作用する。このため、摩擦部７５がホースリール５から離接し、摩擦部７５のホースリール５の外周面を内側に押圧する方向に付勢された力が解除され、ホースリール５がホース１０の引き出しにより回転する。
【０００７】
具体的には、図９に示すような状態で、作業者がホース１０を静止して単に保持しているときには、ホース１０に引き出し力がかからないので、ホース取り出しヘッド６には下向きの力がかからず、ホースリール回転制止装置７によりホースリール５の回転は制止されている。
【０００８】
次に、図１０に示すように、ホース１０を水平方向より下向きの矢印方向に引き出すと、ガイドローラ６１を介してホース取り出しヘッド６に下向きの力がかかるため、ホースリール回転制止装置７の制止が解除されて、ホースリール５が回転可能となり、ホース１０を引き出すことができる。
【０００９】
【発明が解決しようとする課題】
上記従来のホース巻取装置では、ホース取り出しヘッド６に鉛直方向下向きの力Ｄがかかることにより、ホースリール５の回転制止を解除するように構成されているため、図１１のように、傾斜地において上方からホース１０を引き出す場合には、ホース取り出しヘッド６に鉛直方向下向きの力がかからないため、ホースリール回転制止装置７によるホースリール５の回転制止が解除されず、ホースリール５が制止したままで、ホース１０を引き出すことができないという問題がある。
【００１０】
このため、傾斜地の上方にホース１０を引き出す場合には、ホース巻取装置まで戻って、ホース１０を下向きに引き出しておいてから傾斜地の上方に戻らなければならなかった。また、別の方法として、ホースリール５の回転制止装置７の制止を手動により解除しておくようにしていた。しかしながら、この場合には、ホースリール回転制止装置７のホースリール５の回転が制止されていない状態であるので、ホース１０を引き出す度にホースリール５のホース１０が弛んでしまい、自動整列巻き取りの際、そのままでは自動整列巻き取りができないので、人手によりホース１０の弛みを除かなければならず、非常に手間がかかるという問題がある。
【００１１】
本発明は、このような事情に対処してなされたもので、傾斜地において上方からもホースを引き出すことができるホース巻取装置を提供することを目的とする。
【００１２】
【課題を解決するための手段】
上記目的を達成するため、請求項１に記載の発明は、ホース（１０）が巻回されるホースリール（５）と、
このホース（１０）をホースリール（５）の外方に取り出すためのホース取り出しヘッド（６）と、
常時はホースリール（５）の回転を制止し、鉛直方向下向きの力がホース取り出しヘッド（６）に負荷されるとホースリール（５）の回転制止を解除するホースリール回転制止装置（７）とを備えてなるホース巻取装置において、
ホース取り出しヘッド（６）と所定距離を隔てた位置に配され、ホース取り出しヘッド（６）から引き出されたホース（１０）を外周部において案内支持する案内ローラ（８２）と、
一端がホース取り出しヘッド（６）に取り付けられ、他端が案内ローラ（８２）を回動自在に支持する接続部材（８１）とを備え、
ホース取り出しヘッド（６）及び案内ローラ（８２）を結ぶ直線が、ホース取り出しヘッド（６）を支点として、少なくとも所望のホース（１０）の引き出し角度より大きい傾斜角に角度調整可能とされることを特徴とする。
【００１３】
このような構成では、ホース取り出しヘッド（６）及び案内ローラ（８２）を結ぶ直線が、ホース取り出しヘッド（６）を支点として、少なくとも所望のホース（１０）の引き出し角度より大きい傾斜角に角度調整可能とすることにより、傾斜地等の上方からホース（１０）を引き出す場合に、ホース取り出しヘッド（６）及び案内ローラ（８２）を結ぶ直線とホース（１０）引き出し角度の差分だけ、鉛直方向下向きの力がホース取り出しヘッド（６）に負荷するので、ホースリール（５）の回転制止が解除されてホース（１０）の引出しが可能となる。
【００１４】
請求項２記載の発明は、ホース取り出しヘッド（６）及び案内ローラ（８２）を結ぶ直線の角度調節は、ホース取り出しヘッド（６）側に設けられ、所定角度毎に角度調節が可能なラチェット機構（９）によりなされることを特徴とする。
【００１５】
このような構成では、ホース取り出しヘッド（６）及び案内ローラ（８２）を結ぶ直線の角度調節をラチェット機構（９）により行うことにより、簡易な構成で、ホース取り出しヘッド（６）側を支点としてホース取り出しヘッド（６）及び案内ローラ（８２）を結ぶ直線を任意の方向に間欠的に回転させて、角度調整をすることができる。
【００１６】
請求項３記載の発明は、請求項１又は２記載のホース巻取装置において、案内ローラ（８２）の外周部にはホース（１０）を係合可能な溝が形成されていることを特徴とする。
【００１７】
このような構成では、ホース（１０）を係合可能な溝が案内ローラ（８２）の外周部に形成されているので、ホース（１０）が案内ローラ（８２）の外周部から外れることなく案内誘導することができる。
【００１８】
請求項４記載の発明は、請求項１〜３の何れかに記載のホース巻取装置において、ホース取り出しヘッド（６）及び案内ローラ（８２）の間においてホース取り出しヘッド（６）より引き出されたホースの上方に位置してホース（１０）のはみ出しを阻止する中間部材（８３）を備えることを特徴とする。
【００１９】
このような構成では、中間部材（８３）を備えることにより、特に、ホース送り出し時にホース（１０）が接続部材（８１）を超えてはみ出すことを防止することができる。
【００２０】
請求項５記載の発明は、請求項４記載のホース巻取り装置において、接続部材（８１）は、湾曲した一対の長棒（８１）からなり、中間部材（８３）は、湾曲した長棒（８１）の中間部に掛け渡されることを特徴とする。
【００２１】
このような構成では、中間部材（８３）が湾曲した長棒（８１）の中間部に掛け渡されることから、中間部材（８３）を容易に配設することができる。なお、中間部材（８３）は長棒（８１）間を掛け渡すことができればどのような形状のものでも良く、例えば、棒状、網状のようなものでも良い。さらに、中間部材（８３）は、回動可能なローラとしても良く、そのローラの軸両端を長棒（８１）で支持させるようにすると、ホース（１０）がローラに接触してもローラの回動により、中間部材（８３）とホース（１０）との摩擦を軽減できる。
【００２２】
請求項６記載の発明は、ホース（１０）が巻回されるホースリール（５）と、
このホース（１０）を外方に取り出すためのホース取り出しヘッド（６）と、
常時はホースリール（５）の回転を制止し、ホース（１０）の引出し時に鉛直方向下向きの力がホース取り出しヘッド（６）に負荷されるとホースリール（５）の回転制止が解除されてホース（１０）の引出しが可能となるホースリール回転制止装置（７）とを備えてなるホース巻取装置において、
ホース取り出しヘッド（６）に取り付けられて、ホース取り出しヘッド（６）から引き出されたホース（１０）を内部に挿通させて案内する案内筒（８５）を備え、
案内筒（８５）の傾斜角が、ホース取り出しヘッド（６）を支点として、少なくとも所望のホース（１０）の引き出し角度より大きい傾斜角に角度調整可能とされることを特徴とする。
【００２３】
このような構成では、案内筒（８５）の傾斜角が、ホース取り出しヘッド（６）を支点として、少なくとも所望のホース（１０）の引き出し角度より大きい傾斜角に角度調整可能とすることにより、傾斜地等の上方からホース（１０）を引き出す場合に、ホース取り出しヘッド（６）及び案内ローラ（８２）を結ぶ直線とホース（１０）引き出し角度の差分だけ、鉛直方向下向きの力がホース取り出しヘッド（６）に負荷するので、ホースリール（５）の回転制止が解除されてホース（１０）の引出しが可能となる。さらに、案内筒（８５）に、ホース（１０）を挿通させているので、ホース（１０）のたるみ、損傷及び汚れを防止することができる。なお、案内筒（８５）の先端側に案内筒（８５）先端角部とホース（１０）との損傷を防止するために、末広がりのテーパ部を設けるようにしても良い。
【００２４】
請求項７記載の発明は、請求項６に記載のホース巻取装置において、案内筒（８５）の傾斜角の角度調節は、ホース取り出しヘッド（６）側に設けられ、所定角度毎に角度調節が可能なラチェット機構（９）によりなされることを特徴とする。
【００２５】
このような構成では、案内筒（８５）の傾斜角の角度調節をラチェット機構（９）により行うことにより、簡易な構成で、ホース取り出しヘッド（６）側を支点として案内筒（８５）を任意の方向に間欠的に回転させて角度調整をすることができる。
【００２６】
請求項８記載の発明は、請求項１〜７の何れかに記載のホース巻取装置を、動力噴霧機に搭載されるようにしたことを特徴とする。
【００２７】
このような構成では、山林、田畑、果樹園等の傾斜地において、薬剤散布を行う動力噴霧機にホース巻取装置を搭載することにより、傾斜地上方からホース（１０）の引き出しができるので作業性が向上する。
【００２８】
【発明の実施の形態】
以下、本発明の詳細を図面に基づいて説明する。図１は本発明の実施の形態を示す動力噴霧機の概要構成図、図２（ａ）は、図１のホース取り出しヘッドのラチェット機構の部分拡大図、図２（ｂ）は、角度調節時の動作状態を説明する図である。
【００２９】
本発明の実施の形態では、図１に示すように、動力噴霧機に本発明のホース巻取装置を搭載させたものについて説明する。動力噴霧機は、基本的に、エンジン１、ポンプ２、変速機３、ホース巻取装置をフレーム内に搭載して構成される。フレームの下部には移動のための車輪として駆動輪及びキャスタが取り付けられている。エンジン１の動力は、動力伝動ベルトにより、変速機３を介して、駆動輪、ホースリール５、ホース整列装置１１に伝動される。
【００３０】
ホース巻取装置は、ホース１０が巻回されるホースリール５と、このホース１０をホースリール５の外方に取り出すためのホース取り出しヘッド６と、常時はホースリール５の回転を制止し、ホース１０の引出し時に鉛直方向下向きの力がホース取り出しヘッド６に負荷されるとホースリール５の回転制止が解除されてホース１０の引出しが可能となるホースリール回転制止装置７とを備えてなる。ホースリール回転制止装置７は、ホース取り出しヘッド６及びホースリール５間に設けられ、ホースリール５の回転の制止及び制止解除を行う。ホースリール回転制止装置７の機構は、図１２，１３に示す従来のリンク機構のものと同様であるので、その説明を省略する。
【００３１】
なお、ホースリール回転制止装置７としては、上述したリンク機構のような機械的なものの他に、実開平５−２２４５８号公報に開示されたようなホース取り出しヘッドに鉛直方向下向きの力がかかるのを、リミットセンサにより検知を行つてホースリールの回転の制止を解除するような電気的なものであっても良い。
【００３２】
接続部材８１は、湾曲した一対の長棒からなり、基端側をホース取り出しヘッド６に取り付けられている。また、接続部材８１の先端側には、案内ローラ８２が回動自在に支持されている。案内ローラ８２は、接続部材８１によってホース取り出しヘッド６と所定距離を隔てた位置に配置され、ホース取り出しヘッド６から引き出されたホース１０を外周部において案内支持している。ホース取り出しヘッド６は鉛直軸回りに回転自在であり、フレームのどの方向からもホース１０を引き出すことができるようになっている。ホース取り出しヘッド６及び案内ローラ８２を結ぶ直線の傾斜角がホース１０の引き出し角度よりも大きければ、ホース１０の引き出しにより案内ローラ８２に下向きの力が加わり接続部材８１を通じてホース取り出しヘッド６にも鉛直下向きの力が負荷されるので、ホース１０の引き出しが可能となる。
【００３３】
このように、本発明は、ホース取り出しヘッド６及び案内ローラ８２を結ぶ直線が、ホース取り出しヘッド６を支点として、少なくとも所望のホース１０の引き出し角度より大きい傾斜角に角度調節可能とされることを特徴とする。
【００３４】
ホース取り出しヘッド６及び案内ローラ８２を結ぶ直線の角度調節は、図２（ａ）（ｂ）に示すように、ホース取り出しヘッド６側に設けられ、所定角度毎に角度調節が可能なラチェット機構９によりなされる。ラチェット機構９は、数段階で間欠的に角度を調節できるように設けられた爪部９３を備えたラチェット本体９１と、ラチェット本体９１の爪部９３に係止可能な係止部９５を一端に備え、支点回りに回動可能な回動部９４と、回動部９４の支点に取り付けられて回動部９４をＡ方向に付勢するねじりバネ９２とを備える。爪部９３に対して係止部９５を変位させる場合、図２（ａ）の矢印Ａ方向には爪部９３の傾斜形状により単に長棒８１を回転させることにより、順次隣接する爪部９３に係止される。矢印Ｂ方向に変位する場合には、回動部９４の図中左端側を持ち上げて係止部９５を下げて、爪部９３と係止部９５の係止を解除させて、長棒８１をＢ方向に回転させて係止部９５を、任意の爪部９３に係止させる。
【００３５】
爪部９３は、本実施の形態では、実際の使用においては、図４〜図７に示すように、図４のホース取り出しヘッド６及び案内ローラ８２を結ぶ直線の位置を０゜とすると、約１５°間隔で約０〜４５°迄の４段階の角度が調節できるようになっている。すなわち、図５〜７の状態では、ホース取り出しヘッド６及び案内ローラ８２を結ぶ直線を図４の状態より約１５°，３０゜，４５゜に傾斜させた状態を示す図である。図４に示す位置は、ホース１０を引き出さない案内ローラ８２の格納時の状態である。このように、案内ローラ８２を下げておくことにより、上方の高さが低くなるため、格納時に場所を取らない。ホース１０を引き出す場所の傾斜に合わせて、図５〜７の任意の角度を選択して使用する。例えば、所望のホース１０の引き出し角度が１５゜より大きい角度であれば、図５〜７の状態にホース取り出しヘッド６を角度調節するようにする。
【００３６】
なお、図８はホース取り出しヘッド６及び案内ローラ８２を結ぶ直線の傾斜させうる限界位置を示す図であり、図４の状態より約６０゜傾斜させた位置である。
【００３７】
なお、本実施の形態では、ホース取り出しヘッド６及び案内ローラ８２を結ぶ直線の角度調整を、ラチェット機構９により行っているが、これに限るものではなく、少なくとも水平方向より上向きに角度調整が可能であれば、どのようなものでも良い。例えば、案内ローラ８２の接続部材である長棒８１の一端をホース取り出しヘッド６に枢着させて、任意の角度でネジなどで固定するようにしても良い。
【００３８】
案内ローラ８２の外周部にはホース１０を係合可能な溝が形成されている。案内ローラ８２の溝形状は、ホース１０の形状に合わせた湾曲凹状とされ、案内ローラ８２の側周全面に渡って形成されている。なお、案内ローラ８２の溝形状は、ホース１０を滑らかに案内できれば、断面半円状等どのような形状でも良い。
【００３９】
ホース取り出しヘッド６及び案内ローラ８２の間においてホース取り出しヘッド６より引き出されたホース１０の上方に位置してホース１０のはみ出しを阻止する中間部材８３を備える。中間部材８３を備えることにより、特に、ホース送り出し時にホース１０が接続部材８１を超えてはみ出すことを防止できる。中間部材８３は、湾曲した長棒８１の中間部に掛け渡されている。中間部材８３は、溶接等により容易に取り付けることができる。
【００４０】
なお、中間部材８３を長棒８１間を掛け渡すことができればどのような形状のものでも良く、例えば、棒状、網状のようなものでも良い。さらに、中間部材８３は、回動可能なローラとしても良く、そのローラの軸両端を長棒８１で支持させるようにすると、ホース１０がローラに接触してもローラの回動により中間部材８３とホース１０との摩擦を軽減できるので、特に好適である。
【００４１】
本発明の他の実施の形態を図１４により説明する。
かかるホース巻取装置は、ホース１０が巻回されるホースリール５と、このホース１０を外方に取り出すためのホース取り出しヘッド６と、常時はホースリール５の回転を制止し、ホース１０の引出し時に鉛直方向下向きの力がホース取り出しヘッド６に負荷されるとホースリール５の回転制止が解除されてホース１０の引出しが可能となるホースリール回転制止装置７とを備えてなる点は、上述のものと同じである。異なるのは、ホース取り出しヘッド６に取り付けられて、ホース取り出しヘッド６から引き出されたホース１０を内部に挿通させて案内するための中空の案内筒８５を備え、案内筒８５の傾斜角が、ホース取り出しヘッド６を支点として、少なくとも所望のホース１０の引き出し角度より大きい傾斜角に角度調整可能とされることを特徴とする点である。また、案内筒８５を設けることにより、ホース１０のたるみ、損傷及び汚れを防止することができる。案内筒８５の先端側に案内筒８５の先端角部とホース１０との損傷を防止するために、先端に末広がりのテーパ部を設けている。案内筒８５の長さは、搭載する動力噴霧機等のフレームの長さにより調整すると良い。
【００４２】
以下に本実施の形態による作用を説明する。図３に示すように、ホース１０を傾斜地の上方からＦ方向に引き出した場合を考える。ホース取り出しヘッド６には、ホース引き出し方向Ｆだけでなく、ラチェット機構９により長棒８１が傾斜地の傾斜角度より大きな角度に調整されているため、Ｇ方向の下向きの力がホース取り出しヘッド６に作用する。このため、ホース取り出しヘッド６に鉛直下向きの力が作用するので、ホースリール回転制止装置７のリンク機構により摩擦部７５のホースリール５に対する付勢が解除され、ホースリール５が回転可能となり、自由にホース１０を引き出すことができる。
【００４３】
【発明の効果】
以上説明したように、本発明の請求項１記載のホース巻取装置では、ホース取り出しヘッド（６）及び案内ローラ（８２）を結ぶ直線が、ホース取り出しヘッド（６）を支点として、少なくとも所望のホース（１０）の引き出し角度より大きい傾斜角に角度調整可能とすることにより、傾斜地等で上方からホース（１０）を引き出すことができるため、作業性が格段に向上する。
【００４４】
本発明の請求項２記載のホース巻取装置では、ラチェット機構を使用することにより、簡易な構成でホース取り出しヘッド（６）及び案内ローラ（８２）を結ぶ直線を間欠的に角度調整をすることができる。
【００４５】
本発明の請求項３記載のホース巻取装置では、ホース（１０）が案内ローラ（８２）の外周部から外れることなく案内誘導することができる。
【００４６】
本発明の請求項４記載のホース巻取装置では、中間部材（８３）を備えることにより、特に、ホース送り出し時にホース（１０）が接続部材（８１）を超えてはみ出すことを防止することができる。
【００４７】
本発明の請求項５記載のホース巻取装置では、中間部材（８３）が湾曲した長棒（８１）の中間部に掛け渡されることから、中間部材（８３）を容易に配設することができる。
【００４８】
本発明の請求項６記載のホース巻取装置では、傾斜地等の上方からホース（１０）を引き出す場合に、案内筒（８５）とホース（１０）引き出し角度の差分だけ、鉛直方向下向きの力がホース取り出しヘッド（６）に負荷するので、ホースリール（５）の回転制止が解除されてホース（１０）の引出しが可能となるため、作業性が格段に向上する。
【００４９】
本発明の請求項７記載のホース巻取装置では、ラチェット機構を使用することにより、簡易な構成で案内筒（８５）を間欠的に角度調整をすることができる。
【００５０】
本発明の請求項８記載のホース巻取装置では、動力噴霧機にホース巻取装置を搭載することにより、傾斜地での薬剤散布等の作業性が向上する。
【図面の簡単な説明】
【図１】本発明の実施の形態を示す動力噴霧機の概要構成図である。
【図２】（ａ）は、図１のラチェット機構９の部分拡大図、（ｂ）は、角度調節時の動作状態を説明する図である。
【図３】ホース取り出しヘッド６及び案内ローラ８２を結ぶ直線の角度を変位させた状態を説明するための概要図である。
【図４】案内ローラ８２の格納状態を示す概要図である。
【図５】ホース取り出しヘッド６及び案内ローラ８２を結ぶ直線を図４の状態より約１５°に傾斜させた状態を示す図である。
【図６】ホース取り出しヘッド６及び案内ローラ８２を結ぶ直線を図４の状態より約３０°に傾斜させた状態を示す図である。
【図７】ホース取り出しヘッド６及び案内ローラ８２を結ぶ直線を図４の状態より約４５°に傾斜させた状態を示す図である。
【図８】ホース取り出しヘッド６及び案内ローラ８２を結ぶ直線の傾斜の限界位置を示し、図４の状態より約６０°傾斜させた状態を示す図である。
【図９】従来のホース引き出しを説明する図であり、ホース１０が静止状態を示す図である。
【図１０】図９のホース１０に下向きに引き出し力をかけた状態を示す図である。
【図１１】図９のホース１０に上向きに引き出し力をかけた状態を示す図である。
【図１２】ホースリール回転制止装置７の拡大構成図であり、ホースリール５が静止されている状態を説明する図である。
【図１３】図１２のホースリール回転制止装置７の静止が解除された状態を説明する図である。
【図１４】本発明の他の実施の形態を示す概要構成図である。
【符号の説明】
５  ホースリール
６  ホース取り出しヘッド
６１  ガイドローラ
７  ホースリール回転制止装置
８１  長棒（接続部材）
８２  案内ローラ
８３  中間部材
８５  案内筒
９  ラチェット機構
１０  ホース
【図１】
0003639741.tif 000002
【図２】
0003639741.tif 000003
【図３】
0003639741.tif 000004
【図４】
0003639741.tif 000005
【図５】
0003639741.tif 000006
【図６】
0003639741.tif 000007
【図７】
0003639741.tif 000008
【図８】
0003639741.tif 000009
【図９】
0003639741.tif 000010
【図１０】
0003639741.tif 000011
【図１１】
0003639741.tif 000012
【図１２】
0003639741.tif 000013
【図１３】
0003639741.tif 000014
【図１４】
0003639741.tif 000015